(57)【要約】【課題】ＦＡＸ送受信が可能なデジタル複合機において、ＦＡＸサーバにＦＡＸ送受信結果及び送受信した画像データを確実に保存する。【解決手段】デジタル複合機５は、ＦＡＸ送受信部５５１と、送信バッファ５５２及び受信バッファ５５３と、ネットワーク９を介して接続されたＦＡＸサーバ１へ、ＦＡＸ送受信部５５１による送受信記録データ及び送信データまたは受信データを送信するネットワークインタフェース５１１とを備える。サーバ１と通信可能の場合、送受信記録データ及び送受信データをサーバ１へ送信する。サーバ１と通信不能となると、送信データの読み込み及び受信データの印刷を中止する。サーバ１と通信が復旧すると、送信データの読み込み及び受信データの印刷を再開し、送受信記録データ及び送受信データのサーバ１への送信を再開する。【選択図】  図１
2007189568.tif 000002
【特許請求の範囲】
【請求項１】
スキャナと、
前記スキャナが読み取った送信データを送信し、公衆回線から送られてきた受信データを受信するＦＡＸ送受信部と、
前記送信データ及び受信データを記憶するバッファと、
前記バッファに記憶されている受信データを印刷するプリンタと、
ネットワークを介して接続されたサーバと通信を行い、前記ＦＡＸ送受信部による送受信記録データ及び前記バッファに記憶されている送信データまたは受信データを送信するサーバインタフェースとを備え、
前記サーバインタフェースが前記サーバと正常に通信を行うことができる場合は、
前記ＦＡＸ送受信部がＦＡＸデータの送受信を行うと、前記サーバインタフェースが当該送受信に係る送受信記録データ及び送信データまたは受信データを前記サーバへ送信し、
前記サーバインタフェースが前記サーバと通信不能の状態の場合は、
前記スキャナは送信データの読み取りを中止し、
前記プリンタは前記バッファに記憶されている受信データの印刷を中止し、
前記サーバインタフェースが前記通信不能状態から復旧した場合は、
前記スキャナは送信データの読み取りを再開し、
前記プリンタは前記バッファに記憶されている受信データの印刷を再開し、
前記サーバインタフェースは、前記通信不能状態であったときに前記ＦＡＸ送受信部が受信した送受信記録データ及び受信データを、前記サーバへ送信することを特徴とするデジタル複合機。
【請求項２】
前記サーバインタフェースが送信した送受信記録データ及び送信データまたは受信データが、前記サーバに受信されたことが確認できないときは、前記サーバインタフェースは前記サーバと通信可能であるか否かを判定し、通信可能であれば前記送受信記録データ及び送信データまたは受信データを再送することを特徴とする請求項１記載のデジタル複合機。
【請求項３】
前記サーバと通信不能状態の場合、ユーザによる所定の操作を受け付けると、前記サーバインタフェースは前記サーバとの通信の復旧確認を行うことを特徴とする請求項１記載のデジタル複合機。
【請求項４】
前記サーバと通信不能状態の場合、前記サーバインタフェースは所定の時間間隔で前記サーバとの通信の復旧確認を行うことを特徴とする請求項１記載のデジタル複合機。
【請求項５】
ＦＡＸ送受信部と、ＦＡＸの送信データを生成するスキャナと、ＦＡＸの受信データを印刷するプリンタとを有するデジタル複合機におけるＦＡＸ送受信記録の管理方法であって、
ネットワークを介して接続されたサーバと正常に通信を行うことができるときは、
前記ＦＡＸ送受信部は、前記スキャナが読み取った送信データを送信し、または、公衆回線から送られてきたデータを受信し、
前記ＦＡＸ送受信部が送受信をすると、当該送受信に係るＦＡＸ送受信記録データ及び送信データまたは受信データを前記サーバへ送信し、
前記前記サーバと通信不能のときは、
前記スキャナは送信データの読み取りを中止し、
前記プリンタは受信データの印刷を中止し、
前記サーバと通信不能状態から通信が復旧した場合は、
前記スキャナは送信データの読み取りを再開し、
前記プリンタは受信データの印刷を再開し、
前記通信不能状態であったときに前記ＦＡＸ送受信部が受信した受信記録データ及び受信データを前記サーバへ送信することを特徴とするＦＡＸ送受信記録の管理方法。
【請求項６】
ＦＡＸ送受信部と、ＦＡＸの送信データを生成するスキャナと、ＦＡＸの受信データを印刷するプリンタとを有するデジタル複合機が、ＦＡＸ送受信記録を管理するためのコンピュータプログラムであって、
ネットワークを介して接続されたサーバと正常に通信を行うことができるときは、
前記ＦＡＸ送受信部は、前記スキャナが読み取った送信データを送信し、または、公衆回線から送られてきたデータを受信し、
前記ＦＡＸ送受信部が送受信をすると、当該送受信に係るＦＡＸ送受信記録データ及び送信データまたは受信データを前記サーバへ送信し、
前記前記サーバと通信不能のときは、
前記スキャナは送信データの読み取りを中止し、
前記プリンタは受信データの印刷を中止し、
前記サーバと通信不能状態から通信が復旧した場合は、
前記スキャナは送信データの読み取りを再開し、
前記プリンタは受信データの印刷を再開し、
前記通信不能状態であったときに前記ＦＡＸ送受信部が受信した受信記録データ及び受信データを前記サーバへ送信するようになっている、ＦＡＸ送受信記録を管理するためのコンピュータプログラム。
【発明の詳細な説明】
【技術分野】
【０００１】
本発明は、デジタル複合機を用いたＦＡＸ送信システムに関し、特に、デジタル複合機とネットワークを介して接続されたサーバにＦＡＸ送受信記録及び送受信データを確実に保存するための技術に関する。
【背景技術】
【０００２】
スキャナ及びプリンタを備えたデジタル複合機（以下、単に複合機という）と呼ばれる装置がある。この複合機では、スキャナが画像を取り込むスキャナ機能、プリンタが印刷を行う印刷機能、及びスキャナが読み取った画像をプリンタが印刷するコピー機能などを備える。近年、この複合機にさらにＦＡＸ送受信機能を備えたものが登場している。
【０００３】
そして、このＦＡＸ送受信機能を備え複合機とネットワークを介して接続されたパソコン等に受信データを転送するシステムが、例えば特許文献１に開示されている。
【特許文献１】特開平１０−１６４３０３号公報
【発明の開示】
【発明が解決しようとする課題】
【０００４】
しかしながら、特許文献１ではＦＡＸ受信時にだけ、受信データをネットワークを介して接続されたパソコン等に保存しているが、ＦＡＸ送信時にも送信したデータを、ネットワークを介して接続されたパソコン等で保存したいというニーズがある。
【０００５】
さらに、ＦＡＸ送受信結果のログ及び送受信したデータを、ネットワークを介して接続されたパソコン等に確実に保存するためには、ネットワークのトラブルなどによるデータの欠落を防止する必要がある。
【０００６】
そこで、本発明の目的は、ＦＡＸ送受信が可能なデジタル複合機において、ネットワークを介して接続された機器へＦＡＸ送受信結果及び送受信した画像データを確実に保存するための技術を提供することである。
【課題を解決するための手段】
【０００７】
本発明の一実施態様に従うデジタル複合機は、スキャナと、前記スキャナが読み取った送信データを送信し、公衆回線から送られてきた受信データを受信するＦＡＸ送受信部と、前記送信データ及び受信データを記憶するバッファと、前記バッファに記憶されている受信データを印刷するプリンタと、ネットワークを介して接続されたサーバと通信を行い、前記ＦＡＸ送受信部による送受信記録データ及び前記バッファに記憶されている送信データまたは受信データを送信するサーバインタフェースとを備える。そして、前記サーバインタフェースが前記サーバと正常に通信を行うことができる場合は、前記ＦＡＸ送受信部がＦＡＸデータの送受信を行うと、前記サーバインタフェースが当該送受信に係る送受信記録データ及び送信データまたは受信データを前記サーバへ送信する。前記サーバインタフェースが前記サーバと通信不能の状態の場合は、前記スキャナは送信データの読み取りを中止し、前記プリンタは前記バッファに記憶されている受信データの印刷を中止する。前記サーバインタフェースが前記通信不能状態から復旧した場合は、前記スキャナは送信データの読み取りを再開し、前記プリンタは前記バッファに記憶されている受信データの印刷を再開し、前記サーバインタフェースは、前記通信不能状態であったときに前記ＦＡＸ送受信部が受信した送受信記録データ及び受信データを、前記サーバへ送信する。
【０００８】
これにより、ＦＡＸ送受信が可能なデジタル複合機がファックス送受信すると、ネットワークを介して接続されたサーバにその送受信結果及び送受信したデータが確実に保存される。
【０００９】
好適な実施形態では、前記サーバインタフェースが送信した送受信記録データ及び送信データまたは受信データが、前記サーバに受信されたことが確認できないときは、前記サーバインタフェースは前記サーバと通信可能であるか否かを判定し、通信可能であれば前記送受信記録データ及び送信データまたは受信データを再送するようにしてもよい。
【００１０】
好適な実施形態では、前記サーバと通信不能状態の場合、ユーザによる所定の操作を受け付けると、前記サーバインタフェースは前記サーバとの通信の復旧確認を行うようにしてもよい。
【００１１】
これにより、ネットワークを介して接続されたサーバと通信不能になったときは、ユーザがそれを認識することができる。
【００１２】
好適な実施形態では、前記サーバと通信不能状態の場合、前記サーバインタフェースは所定の時間間隔で前記サーバとの通信の復旧確認を行うようにしてもよい。
【００１３】
これにより、ネットワークを介して接続されたサーバと通信不能になったときでも、通信が復旧すれば、自動的に処理を再開することができる。
【発明を実施するための最良の形態】
【００１４】
以下、本発明の一実施形態に係るＦＡＸ送受信システムについて、図面を参照して説明する。
【００１５】
図１は、第１の実施形態に係るＦＡＸ送受信システムの全体構成図である。
【００１６】
本システムは、ＦＡＸサーバ１と、ＦＡＸクライアント３と、デジタル複合機（以下、単に複合機という）５とが、ネットワーク９を介して接続されている。ＦＡＸクライアント３及び複合機５は、１台のＦＡＸサーバ１に対して複数台接続することができる。
【００１７】
複合機５は、情報処理装置からなる複合機本体５１と、ユーザの入力操作を受け付ける入出力装置である操作パネル５２と、画像をスキャンして読み込むスキャナ５３と、印刷用紙等に印刷を行うプリンタ５４と、ＦＡＸ送受信を行うＦＡＸユニット５５とを備える。つまり、複合機５は、スキャナ機能、印刷機能、スキャナ機能と印刷機能を組み合わせたコピー機能及びＦＡＸ送受信機能を備える。
【００１８】
ＦＡＸサーバ１、複数のクライアント３、及び複合機本体５１は、いずれも例えば汎用的なコンピュータシステムにより構成され、以下に説明する各サーバ等内の個々の構成要素または機能は、例えば、コンピュータプログラムを実行することにより実現される。
【００１９】
ＦＡＸユニット５５は、公衆回線網と接続されていて、ＦＡＸの送受信を行うＦＡＸ送受信部５５１と、ＦＡＸ送受信部５５１が送信するための送信データを一時記憶する送信バッファ５５２と、ＦＡＸ送受信部５５１が受信した受信データを一時記憶する受信バッファ５５３と、送受信結果を示す通信結果データを記憶した通信結果ログ５５４とを備える。
【００２０】
ＦＡＸユニット５５は、スキャナ５３が読み取った画像データを複合機本体５１から受信すると、一旦送信バッファ５５２に蓄積する。ＦＡＸ送受信部５５１は、送信バッファ５５２に蓄積されている画像データを取得して、ＦＡＸ送信する。送信が完了すると、ＦＡＸ送受信部５５１は、送信バッファ５５２に蓄積されている送信済みデータを消去する。
【００２１】
ＦＡＸ送受信部５５１は、公衆回線網からＦＡＸ送信されてきたデータを受信すると、その受信データを受信バッファ５５３に一旦格納する。そして、受信バッファ５５３に格納された受信データは、複合機本体５１へ送られて、プリンタ５４で印刷される。ＦＡＸ送受信部５５１は、プリンタ５４で印刷済みの受信データを受信バッファ５５３から削除する。
【００２２】
なお、送信バッファ５５２及び受信バッファ５５３は、一体に構成されていてもよい。
【００２３】
通信結果ログ５５４には、ＦＡＸ送受信部５５１によるＦＡＸ送受信の成否など、ＦＡＸ通信結果の履歴を記憶する。例えば、通信結果ログ５５４には、ページ単位の通信結果及び複数ページからなるジョブ単位の通信結果データが記憶されている。
【００２４】
本実施形態では、ネットワークトラブルなどで複合機５とＦＡＸサーバ１とが通信できないときは、スキャナ５３が画像データの読み込みを停止し、プリンタ５４が受信データの印刷を停止する。しかしながら、この場合でもＦＡＸユニット５５は、複合機５内の他の構成５１、５２，５３，５４とは独立に動作するので、公衆回線網から送られてくるデータの受信は行われる。
【００２５】
複合機本体５１は、ネットワーク９を介して接続されたＦＡＸサーバ１等と通信を行うネットワークインタフェース５１１と、操作パネル５２、スキャナ５３、プリンタ５４及びＦＡＸユニット５５を制御する制御部５１２と、ＦＡＸ送受信のためのＦＡＸデータを記憶するバッファ５１３と、通信結果ログ５１４とを備える。
【００２６】
ネットワークインタフェース５１１は、サーバ１との通信状態を管理する。例えば、ネットワークインタフェース５１１は、サーバ１と正常に通信を行える状態であるか、あるいは、何らかのトラブルによりサーバ１と通信不能の状態であるかを判定する。ネットワーク９の通信状態は、次に説明する制御部５１２がネットワークステータスとして管理する。ネットワーク９が通信可能な状態のときは、ネットワークインタフェース５１１は、サーバ１へ通信結果ログ及びＦＡＸデータ（送信データ及び受信データ）を送信する。
【００２７】
制御部５１２は、操作パネル５２からのＦＡＸ送信指示を受け付けて、スキャナ５３に対して画像読み取り指示を行って、スキャナ５３が読み取った画像データを取得する。この画像データは、バッファ５１３に格納される。制御部５１２は、さらに、ＦＡＸユニット５５が公衆回線網から受信した受信データを取得して、バッファ５１３に格納する。
【００２８】
また、制御部５１２は、ＦＡＸユニット５５からＦＡＸ送受信部５５１による通信結果データの通知を受けて、通信結果ログ５１４に格納する。従って、通信結果ログ５１４には、ＦＡＸユニット５５の通信結果ログ５５４と同じ内容が記憶される。
【００２９】
制御部５１２は、ネットワーク９のステータスを管理する。例えば、ネットワーク９のトラブル等でサーバ１と通信できないときは、ネットワークステータスを「通信エラー」とする。通信が復旧すると、ネットワークステータスの「通信エラー」を解除し、「正常」とする。そして、ネットワークステータスが「通信エラー」でないときに、制御部５１２は、バッファ５１３に格納されているＦＡＸデータ及び通信結果ログ５１４に記憶されている通信結果データを、ネットワークインタフェース５１１を介してサーバ１へ送信する。
【００３０】
サーバ１は、ネットワーク９を介して接続されたＦＡＸクライアント３及び複合機５と通信を行うネットワークインタフェース１１と、通信結果ログ１２と、バックアップデータ記憶部１３とを備える。
【００３１】
ネットワークインタフェース１１は、例えば、複合機５から送られてくる通信結果データ及びＦＡＸデータを受信する。そして、ネットワークインタフェース１１は、通信結果データは通信結果ログ１２に蓄積し、ＦＡＸデータは、バックアップデータ記憶部１３に格納する。ネットワークインタフェース１１が複合機５からのデータを受信すると、受信確認を返信する。
【００３２】
バックアップデータ記憶部１３には、受信データのバックアップ１３１と、送信データのバックアップ１３２とが格納される。
【００３３】
上述のような構成を備えたＦＡＸ送受信システムにおける処理について、図２〜図４のフローチャートを用いて説明する。
【００３４】
まず、図２は、ＦＡＸ送信時の複合機本体５１の処理手順を示すフローチャートである。
【００３５】
ユーザが操作パネル５２に対してＦＡＸの送信指示を入力すると、これが複合機本体５１の制御部５１２へ通知される（Ｓ１０１）。このとき、ＦＡＸ送信指示には、宛先を指定する宛先情報を含んでいてもよい。
【００３６】
つぎに、ネットワークインタフェース５１１は、ＦＡＸサーバ１との接続確認を行う（Ｓ１０２）。
【００３７】
そして、ＦＡＸサーバ１との接続ができないときは（Ｓ１０３：Ｎｏ）、制御部５１２が操作パネル５２に所定の通信エラー画面を表示する（Ｓ１１１）。ここで、制御部５１２は、この通信エラー画面に対するユーザによる再接続を要求する操作入力を待つ（Ｓ１１２）。そして、再接続の操作入力があると、ネットワークインタフェース５１１は、ＦＡＸサーバ１との接続確認を再度行う（Ｓ１１３）。この再接続確認の結果、ＦＡＸサーバ１と通信可能であれば（Ｓ１１４：Ｙｅｓ）、ステップＳ１０４へ遷移し、依然としてＦＡＸサーバ１と通信不能であれば（Ｓ１１４：Ｎｏ）、ステップＳ１１１以降を繰り返す。
【００３８】
ＦＡＸサーバ１との通信が確保されたときは（Ｓ１０３：Ｙｅｓ、Ｓ１１４：Ｙｅｓ）、制御部５１２は、スキャナ５３に画像読み取りを指示する。そして、スキャナ５３に１ページ分の画像を読み取らせ、スキャナ５３が読み取った画像データを取得して、バッファ５１３に格納する（Ｓ１０４）。
【００３９】
ここで、制御部５１２は、バッファ５１３に格納された画像データ（送信データ）を、ＦＡＸユニット５５へ送り、ＦＡＸ送信指示をする（Ｓ１０５）。先頭ページの画像データを送信するときは、ＦＡＸの宛先情報を併せて送信するようにしてもよい。
【００４０】
次に、制御部５１２は、サーバ１に対して、通信ログ５１４に格納されている通信結果データと、バッファ５１３に格納されている画像データとを送信する（Ｓ１０６）。
【００４１】
そして、サーバ１から受信確認通知を受け、サーバ１へ送信したデータが保存されたことが確認されると（Ｓ１０７：Ｙｅｓ）、制御部５１２は、バッファ５１３に格納されている画像データを破棄する（Ｓ１０８）。
【００４２】
一方、所定時間内にＦＡＸサーバ１から受信確認通知が来ないため、送信したデータがサーバ１に保存されたことが確認できないときは（Ｓ１０７：Ｎｏ）、ステップＳ１１１〜Ｓ１１４と同様に、再接続確認を行う（Ｓ１２１〜Ｓ１２４）。そして、ＦＡＸサーバ１と通信可能な状態になると（Ｓ１２４：Ｙｅｓ）、ステップＳ１０６へ遷移し、以降の処理を行う。
【００４３】
ステップＳ１０８までの処理終了後、後続のページがあるときは、ステップＳ１０４へ戻って上記処理を繰り返す（Ｓ１０９）。
【００４４】
これにより、複合機５は、ネットワーク９にトラブルがあるか否かにかかわらず、送信した画像データ及び送信結果データを確実にＦＡＸサーバ１にバックアップすることができる。
【００４５】
さらに、ＦＡＸサーバ１との通信エラーでＦＡＸ送信が一時停止したときは、ユーザによる操作を受け付けてからネットワークの復旧確認を行っているので、通信エラーの発生及び復旧をユーザが認識することができる。
【００４６】
次に、図３は、ＦＡＸ受信時の複合機本体５１の処理手順を示すフローチャートである。
【００４７】
まず、ＦＡＸユニット５５が公衆回線網からデータを受信すると、複合機本体５１の制御部５１２がＦＡＸユニット５５からその通知を受ける（Ｓ２０１）。
【００４８】
つぎに、ネットワークインタフェース５１１は、ＦＡＸサーバ１との接続確認を行う（Ｓ２０２）。
【００４９】
そして、ＦＡＸサーバ１との接続ができないときは（Ｓ２０３：Ｎｏ）、制御部５１２が操作パネル５２に所定の通信エラー画面を表示する（Ｓ２１１）。ここで、制御部５１２は、この通信エラー画面に対するユーザによる再接続を要求する操作入力を待つ（Ｓ２１２）。そして、再接続の操作要求があると、ネットワークインタフェース５１１は、ＦＡＸサーバ１との接続確認を再度行う（Ｓ２１３）。この再接続確認の結果、ＦＡＸサーバ１と通信可能であれば（Ｓ２１４：Ｙｅｓ）、ステップＳ２０４へ遷移し、依然としてＦＡＸサーバ１と通信不能であれば（Ｓ２１４：Ｎｏ）、ステップＳ２１１以降を繰り返す。
【００５０】
ＦＡＸサーバ１との通信が確保されたときは（Ｓ２０３：Ｙｅｓ、Ｓ２１４：Ｙｅｓ）、制御部５１２は、ＦＡＸユニット５５が受信した受信データを１ページずつ取得し、バッファ５１３に格納する（Ｓ２０４）。
【００５１】
ここで、制御部５１２は、バッファ５１３に格納された受信データを、プリンタ５４へ送り、印刷を実行させる（Ｓ２０５）。
【００５２】
次に、制御部５１２は、サーバ１に対して、通信ログ５１４に格納されている通信結果データと、バッファ５１３に格納されている画像データとを送信する（Ｓ２０６）。
【００５３】
そして、サーバ１から受信確認通知を受け、サーバ１へ送信したデータが保存されたことが確認されると（Ｓ２０７：Ｙｅｓ）、制御部５１２は、バッファ５１３に格納されている画像データを破棄する（Ｓ２０８）。
【００５４】
一方、所定時間内にＦＡＸサーバ１から受信確認通知が来ないため、送信したデータがサーバ１に保存されたことが確認できないときは（Ｓ２０７：Ｎｏ）、ステップＳ２１１〜Ｓ２１４と同様に、再接続確認を行う（Ｓ２２１〜Ｓ２２４）。そして、ＦＡＸサーバ１と通信可能な状態になると（Ｓ２２４：Ｙｅｓ）、ステップＳ２０６へ遷移し、以降の処理を行う。
【００５５】
ステップＳ２０８までの処理終了後、後続のページがあるときは、ステップＳ２０４へ戻って上記処理を繰り返す（Ｓ２０９）。
【００５６】
これにより、複合機５は、ネットワーク９にトラブルがあるか否かにかかわらず、受信した画像データ及び送信結果データを確実にＦＡＸサーバ１にバックアップすることができる。
【００５７】
さらに、図２のＦＡＸ送信の場合と同様に、ＦＡＸサーバ１との通信エラーでＦＡＸ送信が一時停止したときは、ユーザによる操作を受け付けてからネットワークの復旧確認を行っているので、通信エラーの発生及び復旧をユーザが認識することができる。
【００５８】
次に、図４は、ＦＡＸ送信時の複合機本体５１の他の処理手順を示すフローチャートである。
【００５９】
図４の処理手順では、図２の場合と異なり、複合機５がＦＡＸサーバ１と通信できないときは、所定の時間間隔で通信が復旧しているか否かの確認を行い、通信が復旧したら、処理を自動的に再開する。
【００６０】
すなわち、ステップＳ１０１〜Ｓ１０９の処理は図２の場合と同様である。これに対して、ステップＳ１０３でＦＡＸサーバ１と通信できない場合（Ｓ１０３：Ｎｏ）、及びステップＳ１０７で通信結果ログ及び画像データをＦＡＸサーバ１に格納できない場合（Ｓ１０７：Ｎｏ）には、図２の場合と異なり、所定の待ち時間が経過した後（Ｓ１１５，Ｓ１２５）、ＦＡＸサーバ１に再接続を行うようになっている。
【００６１】
この実施態様では、図２の場合と異なり、ネットワークトラブルが生じていたときでも、ネットワークが復旧すれば、自動的に処理を再開することができる。
【００６２】
なお、図４では、ＦＡＸ送信時に、所定の時間間隔で通信が復旧しているか否かの確認を行っているが、ＦＡＸ受信時であっても、同様に所定の時間間隔で通信が復旧しているか否かの確認を行い、通信が復旧したら、処理を自動的に再開することもできる。
【００６３】
さらに、本実施形態に係る複合機５は、ネットワークトラブルからの復旧確認は、図２及び図３に示したような、ユーザによる所定の操作入力に基づいて行う態様と、図４に示したような自動的に行う態様とのいずれか一方を選択可能としてもよい。
【００６４】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００６５】
【図１】本発明の一実施形態に係るＦＡＸ送受信システムの全体構成図である。
【図２】ＦＡＸ送信時の複合機本体５１の処理手順を示すフローチャートである。
【図３】ＦＡＸ受信時の複合機本体５１の処理手順を示すフローチャートである。
【図４】ＦＡＸ送信時の複合機本体５１の他の処理手順を示すフローチャートである。
【符号の説明】
【００６６】
１…サーバ、３…クライアント、５…デジタル複合機、５１…複合機本体、５２…操作パネル、５３…スキャナ、５４…プリンタ、５５…ＦＡＸユニット。
【図１】
2007189568.tif 000003
【図２】
2007189568.tif 000004
【図３】
2007189568.tif 000005
【図４】
2007189568.tif 000006